(57)【特許請求の範囲】
【請求項１】
行動ログメッセージを生成して投稿する投稿装置であって、
ユーザによる購買行動およびＷｅｂページの閲覧行動に応じて行動ログが当該行動の種別である行動種別とともに前記ユーザを識別するユーザ識別情報に関連付けて記憶される行動ログデータベースと、
前記行動ログデータベースに記憶した前記行動ログから変化を検出するための変化検出条件として、前記行動種別が前記ユーザの購買行動である場合、前記ユーザの購買金額が所定の上限金額を超えることという条件、前記行動種別が前記ユーザの購買行動である場合、前記ユーザの購買した内容の属する購買カテゴリが所定の購買カテゴリ以外であることという条件、前記行動種別が前記ユーザによるＷｅｂページの閲覧行動である場合、前記ユーザが閲覧したＷｅｂページの属するページカテゴリが所定のページカテゴリ以外であることという条件が前記ユーザ識別情報に関連付けて記憶された変化検出条件データベースと、
前記行動種別毎に、当該行動種別に応じたメッセージの雛形が記憶された行動ログメッセージデータベースと、
前記行動ログデータベースに前記行動ログが前記行動種別とともに前記ユーザ識別情報に関連付けて記憶されたことに応じて前記変化検出条件データベースを参照し、その記憶された行動ログから何れかの変化検出条件の変化を検出した場合に、当該行動ログに対応する行動種別に応じたメッセージの雛形に当該行動ログの情報を設定した行動ログメッセージを生成して所定の投稿サーバに投稿する行動ログメッセージ生成・投稿手段と、を備える投稿装置。
【請求項２】
前記行動ログデータベースを参照し、前記ユーザの購買行動の履歴として前記ユーザ識別情報に関連付けて記憶された購買金額の最大値を、前記所定の上限金額として前記ユーザ識別情報に関連付けて設定する所定上限金額設定手段をさらに備える請求項１に記載の投稿装置。
【請求項３】
前記行動ログデータベースを参照し、前記ユーザが購買した内容の属する購買カテゴリとして所定の頻度以上前記ユーザ識別情報に関連付けて記憶された購買カテゴリを、前記所定の購買カテゴリとして前記ユーザ識別情報に関連付けて設定する所定購買カテゴリ設定手段をさらに備える請求項１または２に記載の投稿装置。
【請求項４】
前記行動ログデータベースを参照し、前記ユーザが閲覧したＷｅｂページの属するページカテゴリとして所定の頻度以上前記ユーザ識別情報に関連付けて記憶されたページカテゴリを、前記所定のページカテゴリとして前記ユーザ識別情報に関連付けて設定する所定ページカテゴリ設定手段をさらに備える請求項１〜３の何れか１つに記載の投稿装置。
【請求項５】
制御手段及び記憶手段を備える端末装置が行動ログメッセージを生成して投稿する投稿方法であって、
前記記憶手段は、
ユーザによる購買行動およびＷｅｂページの閲覧行動に応じて行動ログが当該行動の種別である行動種別とともに前記ユーザを識別するユーザ識別情報に関連付けて記憶される行動ログデータベースと、
前記行動ログデータベースに記憶した前記行動ログから変化を検出するための変化検出条件として、前記行動種別が前記ユーザの購買行動である場合、前記ユーザの購買金額が所定の上限金額を超えることという条件、前記行動種別が前記ユーザの購買行動である場合、前記ユーザの購買した内容の属する購買カテゴリが所定の購買カテゴリ以外であることという条件、前記行動種別が前記ユーザによるＷｅｂページの閲覧行動である場合、前記ユーザが閲覧したＷｅｂページの属するページカテゴリが所定のページカテゴリ以外であることという条件が前記ユーザ識別情報に関連付けて記憶された変化検出条件データベースと、
前記行動種別毎に、当該行動種別に応じたメッセージの雛形が記憶された行動ログメッセージデータベースと、
を備え、
前記制御手段は、前記行動ログデータベースに前記行動ログを前記行動種別とともに前記ユーザ識別情報に関連付けて記憶したことに応じて、その記憶された行動ログから何れかの変化検出条件の変化を検出した場合に、当該行動ログに対応する行動種別に応じたメッセージの雛形に当該行動ログの情報を設定した行動ログメッセージを生成して所定の投稿サーバに投稿する行動ログメッセージ生成・投稿工程を実行する方法。
【発明の詳細な説明】
【技術分野】
【０００１】
本発明は、行動ログメッセージを生成して投稿する投稿装置及びその方法に関する。
【背景技術】
【０００２】
ユーザの行動に関する投稿を受け付けるサービスとして、従来よりブログ、ＳＮＳ（Ｓｏｃｉａｌ  Ｎｅｔｗｏｒｋ  Ｓｅｒｖｉｃｅ）、マイクロブログ等が知られている。近年、これらのサービスを閲覧する装置が小型化し、パーソナルコンピュータから携帯端末装置に移行しつつある。この移行に伴い、ユーザがこれらのサービスを閲覧する頻度が高まっており、投稿数、投稿頻度が相対的に多いサービスに対し、高い価値が見出されつつある。上記サービスの提供者にとってみれば、自社サービスに対する投稿数、投稿頻度を高めるため、日常生活において、誰でも気軽にいつでもどこでも行動ログメッセージを投稿することの可能な投稿装置及びその方法を提供することが求められている。
【０００３】
このような装置として、記事入力欄と、固有画像保存領域に保存されている画像を簡単に識別可能な画像識別情報を用いた画像選択欄との両方を備えた画像付き記事投稿画面を表示し、上記記事入力欄に入力された記事及び上記画像選択欄で選択された画像識別情報を記事投稿サーバに送信するカメラ付き携帯端末と、このカメラ付き携帯端末が送信した記事及び画像識別情報を受信し、その受信した情報に基づいて画像付き記事を作成して掲載する記事投稿サーバとを備えるコミュニティサイト用画像付き記事投稿システムが知られている（例えば、特許文献１参照）。特許文献１に記載の発明よると、パーソナルコンピュータからではなく携帯端末からであっても、記事と画像との両方を一度の投稿操作で送信できるため、記事と画像を個別に送信しなければならなかった過去の投稿システムに比べ、気軽に行動ログメッセージを投稿することができる。
【先行技術文献】
【特許文献】
【０００４】
【特許文献１】特開２０１０−０８６０８７号公報
【発明の概要】
【発明が解決しようとする課題】
【０００５】
しかしながら、特許文献１に記載のシステムにおいても、行動ログメッセージの入力及び画像の選択そのものは、ユーザ自身で行う必要があり、ユーザは、画像付き記事を投稿したいと思っても、行動ログメッセージの投稿及び画像の選択に少なくても数分程度を要する。そのため、仕事中や移動中など、行動ログメッセージを入力する時間がない場合にまで画像付き記事を投稿することはできず、結果として、日常生活において、誰でも気軽に「いつでも」「どこでも」行動ログメッセージを投稿できるとまではいえない。
【０００６】
本発明は、ユーザの行動が変化したタイミングに応じて、その変化に即した行動ログメッセージを、ユーザが行動ログメッセージを入力することなく自動的に投稿することで、日常生活において、誰でも気軽に「いつでも」「どこでも」行動ログメッセージを投稿することの可能な投稿装置及びその方法を提供することを目的とする。
【課題を解決するための手段】
【０００７】
本発明では、以下のような解決手段を提供する。
【０００８】
（１）  行動ログメッセージを生成して投稿する投稿装置であって、ユーザによる行動に応じて行動ログが当該行動の種別である行動種別とともに前記ユーザを識別するユーザ識別情報に関連付けて逐次記憶される行動ログデータベースと、前記行動ログデータベースに記憶した前記行動ログが所定の変化をしたことを検出するための条件である変化検出条件が前記ユーザ識別情報に関連付けて前記行動種別ごとに記憶された変化検出条件データベースと、前記行動ログデータベースに前記行動ログが前記行動種別とともに前記ユーザ識別情報に関連付けて記憶されたことに応じて前記変化検出条件データベースを参照し、その記憶された行動ログが前記所定の変化をしたことを検出した場合に、当該行動ログ及び前記行動種別に対応する所定の行動ログメッセージを生成して所定の投稿サーバに投稿する行動ログメッセージ生成・投稿手段と、を備える投稿装置。
【０００９】
（１）に記載の発明によれば、行動ログメッセージ生成・投稿手段は、行動ログデータベースに行動ログが行動種別とともにユーザを識別するユーザ識別情報に関連付けて記憶されたことに応じて変化検出条件データベースを参照し、その記憶された行動ログが所定の変化をしたことを検出した場合に、当該行動ログ及び上記行動種別に対応する所定の行動ログメッセージを生成して所定の投稿サーバに投稿する。このようにすることで、ユーザの行動が変化したタイミングに応じて、その変化に即した行動ログメッセージを、ユーザが行動ログメッセージを入力するというステップを踏むことなく投稿できるため、仕事中や移動中など、行動ログメッセージを入力する時間がない場合であっても、行動変化に即した記事を上記所定の投稿サーバに投稿できる。したがって、（１）に記載の発明によれば、日常生活において、誰でも気軽に「いつでも」「どこでも」行動ログメッセージを投稿することの可能な投稿装置を提供できる。
【００１０】
（２）  前記変化検出条件データベースには、前記行動種別が前記投稿装置の移動である場合の前記変化検出条件として、前記投稿装置の地理的位置が所定の領域の外部に移動したことという条件が前記ユーザ識別情報に関連付けて記憶され、前記行動種別が前記投稿装置の移動であり、かつ、前記投稿装置の地理的位置が前記所定の領域の外部に移動したことを示す前記行動ログが前記ユーザ識別情報に関連付けて前記行動ログデータベースに記憶されたことに応じて、前記行動ログメッセージ生成・投稿手段は、前記投稿装置の地理的位置を示す情報を含む前記行動ログメッセージを生成して前記所定の投稿サーバに投稿する（１）に記載の投稿装置。
【００１１】
（２）に記載の発明によれば、現在いる地点から別の地点に移動する場合、移動することに即した行動ログメッセージを、上記別の地点に移動する途中であったとしても、逐次上記サーバに投稿できる。したがって、誰でも気軽に「いつでも」「どこでも」行動ログメッセージを投稿することの可能な投稿装置を提供できる。
【００１２】
（３）  前記行動ログデータベースを参照し、前記投稿装置の移動履歴として所定の頻度以上前記ユーザ識別情報に関連付けて記憶された地理的位置の近傍領域を、前記所定の領域として前記ユーザ識別情報に関連付けて設定する所定領域設定手段をさらに備える（２）に記載の投稿装置。
【００１３】
（３）に記載の発明によれば、普段は行くことのない場所に移動した場合、移動したことに即した行動ログメッセージを、さらなる移動の途中であったとしても、逐次上記サーバに投稿できる。したがって、誰でも気軽に「いつでも」「どこでも」行動ログメッセージを投稿することの可能な投稿装置を提供できる。
【００１４】
（４）  前記変化検出条件データベースには、前記行動種別が前記ユーザの購買行動である場合の前記変化検出条件として、前記ユーザの購買金額が所定の上限金額を超えることという条件が前記ユーザ識別情報に関連付けて記憶され、前記行動種別が前記ユーザの購買行動であり、かつ、前記ユーザの購買金額が前記所定の上限金額を超えたことを示す行動ログであって、前記ユーザが購買した内容を示す購買情報を含む前記行動ログが前記ユーザ識別情報に関連付けて前記行動ログデータベースに記憶されたことに応じて、前記行動ログメッセージ生成・投稿手段は、前記購買情報を含む前記行動ログメッセージを生成して前記所定の投稿サーバに投稿する（１）に記載の投稿装置。
【００１５】
（４）に記載の発明によれば、所定の上限金額を超える内容を購入した場合、購入したことに即した行動ログメッセージを、仕事中や移動中など、行動ログメッセージを入力する時間がない場合であっても、逐次上記サーバに投稿できる。したがって、誰でも気軽に「いつでも」「どこでも」行動ログメッセージを投稿することの可能な投稿装置を提供できる。
【００１６】
（５）  前記行動ログデータベースを参照し、前記ユーザの購買行動の履歴として所定の頻度以上記憶された購買金額の最大値を、前記所定の上限金額として前記ユーザ識別情報に関連付けて設定する所定上限金額設定手段をさらに備える（４）に記載の投稿装置。
【００１７】
（５）に記載の発明によれば、普段は購入することのない内容を購入した場合、購入したことに即した行動ログメッセージを、仕事中や移動中など、行動ログメッセージを入力する時間がない場合であっても、逐次上記サーバに投稿できる。したがって、誰でも気軽に「いつでも」「どこでも」行動ログメッセージを投稿することの可能な投稿装置を提供できる。
【００１８】
（６）  前記変化検出条件データベースには、前記行動種別が前記ユーザの購買行動である場合の前記変化検出条件として、前記ユーザの購買した内容の属する購買カテゴリが所定の購買カテゴリ以外であるという条件が前記ユーザ識別情報に関連付けて記憶され、前記行動種別が前記ユーザの購買行動であり、かつ、前記ユーザの購買した内容の属する購買カテゴリが前記所定の購買カテゴリ以外であることを示す行動ログが前記ユーザ識別情報に関連付けて前記行動ログデータベースに記憶されたことに応じて、前記行動ログメッセージ生成・投稿手段は、前記ユーザが購買した内容を示す購買情報を含む前記行動ログメッセージを生成して前記所定の投稿サーバに投稿する（１）に記載の投稿装置。
【００１９】
（６）に記載の発明によれば、普段は購入することのない購買カテゴリに属する内容を購入した場合、購入したことに即した行動ログメッセージを、仕事中や移動中など、行動ログメッセージを入力する時間がない場合であっても、逐次上記サーバに投稿できる。したがって、誰でも気軽に「いつでも」「どこでも」行動ログメッセージを投稿することの可能な投稿装置を提供できる。
【００２０】
（７）  前記行動ログデータベースを参照し、前記ユーザが購買した内容の属する購買カテゴリとして所定の頻度以上前記ユーザ識別情報に関連付けて記憶された購買カテゴリを、前記所定の購買カテゴリとして前記ユーザ識別情報に関連付けて設定する所定購買カテゴリ設定手段をさらに備える（６）に記載の投稿装置。
【００２１】
（７）に記載の発明によれば、普段は購入することのない内容を購入した場合、購入したことに即した行動ログメッセージを、仕事中や移動中など、行動ログメッセージを入力する時間がない場合であっても、逐次上記サーバに投稿できる。したがって、誰でも気軽に「いつでも」「どこでも」行動ログメッセージを投稿することの可能な投稿装置を提供できる。
【００２２】
（８）  前記変化検出条件データベースは、前記行動種別が前記ユーザによるＷｅｂページの閲覧行動である場合の前記変化検出条件として、前記ユーザが閲覧したＷｅｂページの属するページカテゴリが所定のページカテゴリ以外であるという条件が前記ユーザ識別情報に関連付けて記憶され、前記行動種別が前記ユーザによるＷｅｂページの閲覧行動であり、かつ、前記ユーザが閲覧した前記Ｗｅｂページの属するページカテゴリが前記所定のページカテゴリ以外であることを示す行動ログであって、前記ユーザが閲覧したＷｅｂページのＵＲＬを示す閲覧ＵＲＬ情報を含む前記行動ログが前記ユーザ識別情報に関連付けて前記行動ログデータベースに記憶されたことに応じて、前記行動ログメッセージ生成・投稿手段は、前記閲覧ＵＲＬ情報を含む前記行動ログメッセージを生成して所定の投稿サーバに投稿する（１）に記載の投稿装置。
【００２３】
（８）に記載の発明によれば、日常的に閲覧するページカテゴリとは異なるページカテゴリに属するＷｅｂページを閲覧した場合、閲覧した場所が電車の中であり、現在も引き続き移動中であるなど、行動ログメッセージを入力する時間がない場合であっても、閲覧したことに即した行動ログメッセージを逐次上記サーバに投稿できる。したがって、誰でも気軽に「いつでも」「どこでも」行動ログメッセージを投稿することの可能な投稿装置を提供できる。
【００２４】
（９）  前記行動ログデータベースを参照し、前記ユーザが閲覧したＷｅｂページの属するページカテゴリとして所定の頻度以上前記ユーザ識別情報に関連付けて記憶されたページカテゴリを、前記所定のページカテゴリとして前記ユーザ識別情報に関連付けて設定する所定ページカテゴリ設定手段をさらに備える（８）に記載の投稿装置。
【００２５】
（９）に記載の発明によれば、普段は閲覧することのないページカテゴリに属するＷｅｂページを閲覧した場合、閲覧した場所が電車の中であり、現在も引き続き移動中であるなど、行動ログメッセージを入力する時間がない場合であっても、閲覧したことに即した行動ログメッセージを逐次上記サーバに投稿できる。したがって、誰でも気軽に「いつでも」「どこでも」行動ログメッセージを投稿することの可能な投稿装置を提供できる。
【００２６】
（１０）  制御手段及び記憶手段を備える端末装置が行動ログメッセージを生成して投稿する投稿方法であって、前記記憶手段は、ユーザによる行動に応じて行動ログが当該行動の種別である行動種別とともに前記ユーザを識別するユーザ識別情報に関連付けて逐次記憶される行動ログデータベースと、前記行動ログデータベースに記憶した前記行動ログが所定の変化をしたことを検出するための条件である変化検出条件が前記ユーザ識別情報に関連付けて前記行動種別ごとに記憶された変化検出条件データベースと、を備え、前記制御手段は、前記行動ログデータベースに前記行動ログを前記行動種別とともに前記ユーザ識別情報に関連付けて記憶したことに応じて、その記憶された行動ログが前記所定の変化をしたことを前記変化検出条件データベースを参照して検出した場合に、当該行動ログ及び前記行動種別に対応する所定の行動ログメッセージを生成して所定の投稿サーバに投稿する行動ログメッセージ生成・投稿工程を実行する方法。
【００２７】
（１０）に記載の方法によれば、当該方法に係る発明を実施することにより、（１）と同様の効果が期待できる。
【発明の効果】
【００２８】
本発明によれば、ユーザの行動が変化したタイミングに応じて、その変化に即した行動ログメッセージを、ユーザが行動ログメッセージを入力することなく速やかに投稿することで、日常生活において、誰でも気軽に「いつでも」「どこでも」行動ログメッセージを投稿することの可能な投稿装置及びその方法を提供できる。
【図面の簡単な説明】
【００２９】
【図１】本発明の実施形態に係る投稿装置１を説明するための全体構成を示す図である。
【図２】本発明の実施形態に係る変化検出条件データベース２１を示す図である。
【図３】本発明の実施形態に係る行動ログデータベース２２を示す図である。
【図４】本発明の実施形態に係る行動ログメッセージデータベース２３を示す図である。
【図５】本発明の実施形態に係る投稿装置１のフローチャートを示す図である。
【図６】ユーザＩＤ「０１」に対応するユーザの行動例を示す図である。
【図７】本発明の実施形態に係る投稿装置１から投稿サーバ２に送信した後に当該投稿サーバ２に接続したときの端末３の表示例を示す図である。
【発明を実施するための形態】
【００３０】
［全体構成］
本発明の実施形態について図を参照しながら説明する。
図１は、本実施形態に係る投稿装置１を説明するための全体構成を示す図である。投稿装置１は、少なくともＧＰＳ受信による位置特定機能、商品等の決済機能又は動画表示機能のいずれかを備える携帯端末装置であり、投稿サーバ２とネットワークを介して接続されている。投稿サーバ２は、ユーザの行動に関する投稿を受け付けるサービス、すなわちブログ、ＳＮＳ（Ｓｏｃｉａｌ  Ｎｅｔｗｏｒｋ  Ｓｅｒｖｉｃｅ）、マイクロブログ等を提供するサーバである。
【００３１】
投稿装置１は、この投稿装置１に係る各機能を統括的に制御する制御部１０と、この制御部１０の動作に必要な情報等が記憶される記憶部２０とを備える。
記憶部２０には、行動ログが所定の変化をしたことを検出するための条件である変化検出条件が行動種別ごとに記憶された変化検出条件データベース２１と、ユーザによる行動に応じて行動ログが当該行動の種別である行動種別とともに逐次記憶される行動ログデータベース２２と、ユーザによる入力操作なしに行動ログメッセージを生成するために予め作成された行動ログメッセージの雛形が予め記憶された行動ログメッセージデータベース２３とを備える。
【００３２】
変化検出条件データベース２１は、図２に例示される。変化検出条件データベース２１には、投稿装置１を所持するユーザが所定の変化をしたことを検出するための条件となる変化検出条件が行動種別ごとに記憶されている。
【００３３】
例えば、行動種別が「投稿装置の移動」である場合、変化検出条件として、「投稿装置１の地理的位置が所定の領域の外部に移動したこと」という条件が記憶されている。「所定の領域」とは、投稿装置１の移動履歴として所定の頻度以上ユーザＩＤに関連付けて記憶された地理的位置の近傍領域をいう。この「所定の領域」は、記憶部２０に設けた一定の記憶領域に、上記ユーザＩＤに関連付けて記憶される。「所定の頻度」は、「１週間に１度以上」、「１ヶ月に３回以上」など適宜設定可能なものであり、投稿装置１の供給メーカが予め設定するものであってもよいし、ユーザが適宜設定できるものであってもよい。
【００３４】
また、行動種別が「ユーザの購買行動」である場合、変化検出条件として、「ユーザの購買金額が所定の上限金額を超えること」と、「ユーザの購買した内容の属する購買カテゴリが所定の購買カテゴリ以外であること」という条件が記憶されている。
ここで、「所定の上限金額」とは、所定期間内のユーザの購買行動の履歴として上記購買カテゴリごとにユーザＩＤに関連付けて記憶された購買金額の最大値をいう。「所定期間内」は、「１ヶ月以内」、「３ヶ月以内」など適宜設定可能なものであり、投稿装置１の供給メーカが予め設定するものであってもよいし、ユーザが適宜設定できるものであってもよい。例えば、「所定期間内」が「１ヶ月以内」であり、１ヶ月以内のユーザの購買行動の履歴として、ユーザＩＤ「０１」に関し、購買カテゴリ「飲料」について記憶された購買金額の最大値が２００円であり、購買カテゴリ「衣類」について記憶された購買金額の最大値が５，０００円である場合、購買カテゴリ「飲料」については「ユーザの購買金額が２００円を超えること」が変化検出条件となり、購買カテゴリ「衣類」については「ユーザの購買金額が５，０００円を超えること」が変化検出条件となる。
また、「所定の購買カテゴリ」とは、ユーザが購買した内容の属する購買カテゴリとして所定の頻度以上ユーザ識別ＩＤに関連付けて記憶された購買カテゴリをいう。これら「所定の上限金額」及び「所定の購買カテゴリ」は、記憶部２０に設けた一定の記憶領域に、上記ユーザＩＤに関連付けて記憶される。なお、「所定の頻度」は、「１週間に１度以上」、「１ヶ月に３回以上」など適宜設定可能なものであり、投稿装置１の供給メーカが予め設定するものであってもよいし、ユーザが適宜設定できるものであってもよい。
【００３５】
行動種別が「ユーザによるＷｅｂページの閲覧行動」である場合、変化検出条件として、「ユーザが閲覧したＷｅｂページの属するページカテゴリが所定のページカテゴリ以外であること」という条件が記憶されている。「所定のページカテゴリ」とは、ユーザが閲覧したＷｅｂページの属するページカテゴリとして所定の頻度以上ユーザＩＤに関連付けて記憶されたページカテゴリをいう。この「所定のページカテゴリ」は、記憶部２０に設けた一定の記憶領域に、上記ユーザＩＤに関連付けて記憶される。なお、「所定の頻度」は、「１週間に１度以上」、「１ヶ月に３回以上」など適宜設定可能なものであり、投稿装置１の供給メーカが予め設定するものであってもよいし、ユーザが適宜設定できるものであってもよい。
【００３６】
行動ログデータベース２２は、図３に例示される。行動ログデータベース２２は、行動したユーザを識別する「ユーザＩＤ」フィールドと、日時を示す「日時」フィールドと、ユーザによる行動の種別を示す「行動種別」フィールドと、その行動の内容を示す「行動内容」フィールドとを有する。行動ログデータベース２２には、上記位置特定機能、決済機能、動画表示機能等、投稿装置１が有する機能を発揮するごとに情報が逐次記憶される。
「ユーザＩＤ」フィールドには、投稿装置１がいずれかの機能を発揮したとき、そのときに投稿装置１を使用しているユーザを識別するユーザ識別情報が記憶される。例えば、投稿装置１がいずれかの機能を発揮したとき、そのときに投稿装置１を使用しているユーザがユーザＩＤ「０１」に係るユーザである場合、「ユーザＩＤ」フィールドには「０１」という情報が記憶される。
「日時」フィールドには、投稿装置１がいずれかの機能を発揮した日時が記憶される。例えば、投稿装置１が１２月１５日１０：００に位置特定機能を発揮したとき、「日時」フィールドには「１２月１５日１０：００」という情報が記憶される。
「行動種別」フィールドには、投稿装置１が発揮した機能の種別が記憶される。例えば、投稿装置１が位置特定機能を発揮したとき、「行動種別」フィールドには「投稿装置の移動」が記憶され、投稿装置１が決済機能を発揮したとき、「行動種別」フィールドには「ユーザの購買行動」が記憶される。また、投稿装置１が動画表示機能を発揮したとき、「行動種別」フィールドには「ユーザによるＷｅｂページの閲覧行動」が記憶される。
「行動内容」フィールドには、上記行動種別ごとに予め定めた内容の情報が記憶される。例えば、行動種別が「投稿装置の移動」である場合、「行動内容」フィールドには、投稿装置１が存在する場所の名称並びにその場所の緯度及び経度が記憶される。また、行動種別が「ユーザの購買行動」である場合、「行動内容」フィールドには、ユーザが購入した内容の名称、その内容が属する購買カテゴリ、その内容を購入した地域及び店舗、並びにその内容の購入価格が記憶される。また、行動種別が「ユーザによるＷｅｂページの閲覧行動」である場合、「行動内容」フィールドには、ユーザが閲覧したＷｅｂページのＵＲＬ、そのＷｅｂページの名称及びそのＷｅｂページが属するページカテゴリが記憶される。
【００３７】
行動ログメッセージデータベース２３は、図４に例示される。行動ログメッセージデータベース２３には、予め作成された行動ログメッセージの雛形が行動種別ごとに記憶されている。
例えば、行動種別が「投稿装置の移動」である場合、行動ログメッセージとして「○○（場所）までやってきた、なう。」が記憶されている。また、行動種別が「ユーザの購買行動」である場合、行動ログメッセージとして「○○（場所）の××（店舗名）で□□（購買した商品又は役務）を買ったよ、なう。」が記憶されている。また、行動種別が「ユーザによるＷｅｂページの閲覧行動」である場合、行動ログメッセージとして「○○（Ｗｅｂページ名）を見たよ、なう。」が記憶されている。
【００３８】
図１に戻り、制御部１０は、ユーザの行動種別ごとに変化検出条件を変化検出条件データベース２１に設定する変化検出条件設定部１１と、投稿装置１が機能を発揮したことに応じて、行動ログを行動種別とともにユーザＩＤに関連付けて逐次行動ログデータベース２２に記憶する行動ログ記憶部１２と、行動ログデータベース２２に記憶された行動ログが、変化検出条件設定部１１が設定した変化検出条件に合致する変化をしたものであることを検出した場合に、行動ログメッセージデータベース２３を参照して上記行動ログ及び上記行動種別に対応する行動ログメッセージを生成し、投稿サーバ２に投稿する行動ログメッセージ生成・投稿部１３とを備える。変化検出条件設定部１１は変化検出条件設定手段として機能し、行動ログ記憶部１２は行動ログ記憶手段として機能する。また、行動ログメッセージ生成・投稿部１３は行動ログメッセージ生成・投稿手段として機能する。
【００３９】
変化検出条件設定部１１は、上記「所定の領域」をユーザＩＤに関連付けて設定する所定領域設定部１２ａと、上記「所定の上限金額」をユーザＩＤに関連付けて設定する所定上限金額設定部１２ｂと、上記「所定の購買カテゴリ」をユーザＩＤに関連付けて設定する所定購買カテゴリ設定部１２ｃと、上記「所定のページカテゴリ」をユーザＩＤに関連付けて設定する所定ページカテゴリ設定部１２ｄとを有する。
所定領域設定部１２ａは、投稿装置１の移動履歴として所定の頻度以上ユーザＩＤに関連付けて記憶された地理的位置の近傍領域を、上記「所定の領域」としてユーザＩＤに関連付けて設定する。
所定上限金額設定部１２ｂは、ユーザの購買行動の履歴としてユーザＩＤに関連付けて記憶された購買金額の最大値を、上記「所定の上限金額」としてユーザＩＤに関連付けて設定する。
所定購買カテゴリ設定部１２ｃは、ユーザが購買した内容の属する購買カテゴリとして所定の頻度以上ユーザＩＤに関連付けて記憶された購買カテゴリを、上記「所定の購買カテゴリ」としてユーザＩＤに関連付けて設定する。
所定ページカテゴリ設定部１２ｄは、ユーザが閲覧したＷｅｂページの属するページカテゴリとして所定の頻度以上ユーザ識別情報に関連付けて記憶されたページカテゴリを、上記「所定のページカテゴリ」として設定する。
【００４０】
［本実施形態のハードウェア及びソフトウェアの構成］
本実施形態のハードウェア及びソフトウェアの構成について説明する。投稿装置１のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００４１】
投稿装置１のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００４２】
［フローチャート］
図５は、本実施形態に係る投稿装置１のフローチャートである。
【００４３】
まず、前処理として、変化検出条件設定部１１は、変化検出条件設定処理を実行する（図示せず）。この処理では、変化検出条件設定部１１は、ユーザの行動種別に合致する変化検出条件を変化検出条件データベース２１に設定する。
【００４４】
その後、行動ログ記憶部１２は、行動ログ記憶処理を実行する（Ｓ１）。この処理では、行動ログ記憶部１２は、投稿装置１が機能を発揮したことに応じて、行動ログを行動種別とともに行動ログデータベース２２に逐次記憶する。
【００４５】
次に、行動ログメッセージ生成・投稿部１３は、行動ログメッセージ生成・投稿処理を実行する（Ｓ２）。この処理では、行動ログメッセージ生成・投稿部１３は、行動ログデータベース２２に記憶された行動ログが、変化検出条件設定部１１が設定した変化検出条件に合致する変化をしたものであることを検出した場合に、行動ログメッセージデータベース２３を参照して上記行動ログ及び上記行動種別に対応する行動ログメッセージを生成し、投稿サーバ２に投稿する。
【００４６】
上記の処理を終えると、制御部１０は、一連の処理を終了する。
【００４７】
［投稿装置１の実施例］
以下、投稿装置１の実施例について説明する。
【００４８】
まず、行動ログ記憶部１２は、投稿装置１が機能を発揮したことに応じて、行動ログを行動種別とともにユーザＩＤに関連付けて逐次行動ログデータベース２２に記憶する。図３に示した行動ログデータベース２２を例にする場合、行動ログ記憶部１２は、制御部１０が１２月１５日１０：００に位置特定機能を発揮したことに応じて、行動ログをユーザＩＤに関連付けて行動ログデータベース２２に記憶する。行動ログは、投稿装置１が機能を発揮した日時、この日時における行動の種別及びその行動の内容により構成される。１２月１５日１０：００にユーザＩＤ「０１」に対応するユーザの所持する投稿装置１が位置特定機能を発揮し、投稿装置１の現在位置する場所が緯度３５６５８５１７、経度１３９７０１３３４で特定される「渋谷」であることを投稿装置１が検知した場合、「ユーザＩＤ」フィールドには「０１」が記憶され、「日時」フィールドには「１２月１５日１０：００」が記憶され、「行動種別フィールド」には「投稿装置の移動」が記憶され、「行動内容」フィールドには「渋谷（３５６５８５１７、１３９７０１３３４）」が記憶される。
【００４９】
その後、制御部１０は、同日１０：３０に位置特定機能を発揮し、同日１０：４５に決済機能を発揮し、同日１１：００に位置特定機能を発揮し、同日１１：０５に決済機能を発揮し、同日１１：１５に動画表示機能を発揮し、同日１１：２５に決済機能を発揮し、同日１１：３０、１２：００及び１２：３０に位置特定機能を発揮している。行動ログ記憶部１２は、これらの機能のそれぞれについて、行動ログを逐次行動ログデータベース２２に記憶する。
【００５０】
特に、決済機能について説明する。同日１０：４５にユーザＩＤ「０１」に対応するユーザの所持する投稿装置１が決済機能を発揮し、渋谷のコンビニエンスストアにおいて１５０円のお茶の購入を決済したことを投稿装置１が検知した場合、「ユーザＩＤ」フィールドには「０１」が記憶され、「日時」フィールドには「１２月１５日１０：４５」が記憶され、「行動種別フィールド」には「ユーザの購買行動」が記憶され、「行動内容」フィールドには「お茶を購入」が記憶される。「行動内容」フィールドには、さらに購入した商品又は役務が属するカテゴリ、購買した場所、購買した店舗の属性及び購入価格が記憶される。購入した商品である「お茶」が属するカテゴリは「飲料」であり、購買した場所は「渋谷」であり、購買した店舗の属性は「コンビニエンスストア」であり、購入価格は「１５０円」であることから、「行動内容」フィールドには、「お茶を購入」という情報のほか、「飲料、渋谷、コンビニ、１５０円」という情報も記憶される。
【００５１】
また、動画表示機能についても説明する。同日１１：１５にユーザＩＤ「０１」に対応するユーザの所持する投稿装置１が動画表示機能を発揮し、ｈｔｔｐ：／／ｗｗｗ．・・・で特定されるＵＲＬに接続し、投稿装置１において、歌手のページカテゴリに属する○○動画というＷｅｂページを表示した場合、「ユーザＩＤ」フィールドには「０１」が記憶され、「日時」フィールドには「１２月１５日１１：１５」が記憶され、「行動種別フィールド」には「ユーザによるＷｅｂページの閲覧行動」が記憶される。また、「行動内容」フィールドには、ＵＲＬの情報である「ｈｔｔｐ：／／ｗｗｗ．・・・」のほか、Ｗｅｂページの内容である「○○動画」という情報と、このＷｅｂページの属するページカテゴリである「歌手」という情報とが記憶される。
【００５２】
以下、ユーザＩＤ「０１」に対応するユーザが投稿装置１を所持して１２月１５日に図６に示す行動をしたときを例にして説明する。なお、図２は変化検出条件データベース２１の一例であり、図３は上記行動に応じて種々の情報が記憶された行動ログデータベース２２の一例である。
【００５３】
投稿装置１は、１０：００に位置特定機能を発揮し、行動ログデータベース２２に行動ログを記憶している。行動ログメッセージ生成・投稿部１３は、このことに応じて変化検出条件データベース２１を参照し、この行動ログに係る行動種別である「投稿装置の移動」に合致する変化検出条件を設定する。変化検出条件データベース２１によると、行動種別が「投稿装置の移動」である場合の変化検出条件は、「投稿装置１の地理的位置が所定の領域の外部に移動したこと」である。そこで、行動ログメッセージ生成・投稿部１３は、「投稿装置１の地理的位置が所定の領域の外部に移動したこと」を「投稿装置の移動」に合致する変化検出条件として設定する。ところで、「所定の領域」とは、投稿装置１の移動履歴として行動ログデータベース２２に所定の頻度以上ユーザＩＤに関連付けて記憶された地理的位置の近傍領域をいう。以下、本実施形態では、１０：００に投稿装置１が位置していた「渋谷（３５６５８５１７、１３９７０１３３４）」で特定される地点は、上記「所定の領域」に該当するものとして説明する。
【００５４】
同様に、投稿装置１は、１０：３０に位置特定機能を発揮する。その際、行動ログメッセージ生成・投稿部１３は、「投稿装置１の地理的位置が所定の領域の外部に移動したこと」を「投稿装置の移動」に合致する変化検出条件として設定する。なお、本実施形態では、１０：３０に投稿装置１が位置していた地点も上記「所定の領域」に該当するものとして説明する。
【００５５】
同様に、投稿装置１は、１０：４５に決済機能を発揮する。行動ログメッセージ生成・投稿部１３は、変化検出条件データベース２１を参照し、この行動ログに係る行動種別である「ユーザの購買行動」に合致する変化検出条件を設定する。この場合の変化検出条件は、「ユーザの購買金額が所定の上限金額を超えること」又は「ユーザが購買した内容の属する購買カテゴリが所定の購買カテゴリ以外であること」の少なくとも一方を満たすことである。そこで、行動ログメッセージ生成・投稿部１３は、「ユーザの購買金額が所定の上限金額を超えること」又は「ユーザが購買した内容の属する購買カテゴリが所定の購買カテゴリ以外であること」の少なくとも一方を満たすことを「ユーザの購買行動」に合致する変化検出条件として設定する。ところで、「所定の上限金額」とは、所定期間内のユーザの購買行動の履歴として上記購買カテゴリごとにユーザＩＤに関連付けて記憶された購買金額の最大値をいう。また、「所定の購買カテゴリ」とは、ユーザが購買した内容の属する購買カテゴリとして所定の頻度以上ユーザ識別ＩＤに関連付けて記憶された購買カテゴリをいう。本実施形態では、購買カテゴリ「飲料」については「ユーザの購買金額が２００円を超えること」が変化検出条件であり、１０：４５にユーザが購買した金額は、「所定の上限金額」を超えるものではないものとして説明する。また、購買カテゴリ「飲料」は、「所定の購買カテゴリ」以外ではないものとして説明する。
【００５６】
同様に、投稿装置１は、１１：００に位置特定機能を発揮する。その際、行動ログメッセージ生成・投稿部１３は、「投稿装置１の地理的位置が所定の領域の外部に移動したこと」を「投稿装置の移動」に合致する変化検出条件として設定する。なお、本実施形態では、１１：００に投稿装置１が位置していた地点は、上記「所定の領域」に該当しないものとして説明する。
【００５７】
同様に、投稿装置１は、１１：０５に決済機能を発揮する。その際、行動ログメッセージ生成・投稿部１３は、「ユーザの購買金額が所定の上限金額を超えること」又は「ユーザが購買した内容の属する購買カテゴリが所定の購買カテゴリ以外であること」の少なくとも一方を満たすことを「ユーザの購買行動」に合致する変化検出条件として設定する。本実施形態では、購買カテゴリ「衣類」については「ユーザの購買金額が５０００円を超えること」が変化検出条件であり、１１：０５にユーザが購買した金額は、「所定の上限金額」を超えるものとして説明する。
【００５８】
同様に、投稿装置１は、１１：１５に動画表示機能を発揮する。行動ログメッセージ生成・投稿部１３は、変化検出条件データベース２１を参照し、この行動ログに係る行動種別である「ユーザによるＷｅｂページの閲覧行動」に合致する変化検出条件を設定する。この場合の変化検出条件は、「ユーザが閲覧したＷｅｂページの属するページカテゴリが所定のページカテゴリ以外であること」である。そこで、行動ログメッセージ生成・投稿部１３は、「ユーザが閲覧したＷｅｂページの属するページカテゴリが所定のページカテゴリ以外であること」を「ユーザによるＷｅｂページの閲覧行動」に合致する変化検出条件として設定する。ところで、「所定のページカテゴリ」とは、ユーザが閲覧したＷｅｂページの属するページカテゴリとして所定の頻度以上ユーザＩＤに関連付けて記憶されたページカテゴリをいう。本実施形態では、ユーザが閲覧したＷｅｂページ「○○動画」の属するページカテゴリ「歌手」は、ユーザＩＤ「０１」に関連付けて所定の頻度以上記憶されたページカテゴリではないものとして説明する。
【００５９】
同様に、投稿装置１は、１１：２５に決済機能を発揮する。その際、行動ログメッセージ生成・投稿部１３は、「ユーザの購買金額が所定の上限金額を超えること」又は「ユーザが購買した内容の属する購買カテゴリが所定の購買カテゴリ以外であること」の少なくとも一方を満たすことを「ユーザの購買行動」に合致する変化検出条件として設定する。なお、１１：２５にユーザが購買した金額は、「所定の上限金額」を超えるものではなく、かつ、購買カテゴリ「飲料」は、「所定の購買カテゴリ」以外ではないものとして説明する。
【００６０】
同様に、投稿装置１は、１１：３０、１２：００及び１２：３０に位置特定機能を発揮する。その際、行動ログメッセージ生成・投稿部１３は、「投稿装置１の地理的位置が所定の領域の外部に移動したこと」を「投稿装置の移動」に合致する変化検出条件として設定する。なお、本実施形態では、１１：３０及び１２：００に投稿装置１が位置していた地点は、上記「所定の領域」に該当する一方、１２：３０に投稿装置１が位置していた地点は、上記「所定の領域」に該当しないものとして説明する。
【００６１】
行動ログメッセージ生成・投稿部１３が行動種別に合致する変化検出条件を設定したことに続いて、行動ログメッセージ生成・投稿部１３は、行動ログデータベース２２に記憶された行動ログが、変化検出条件設定部１１が設定した変化検出条件に合致する変化をしたものであることを検出した場合に、行動ログメッセージデータベース２３を参照して上記行動ログ及び上記行動種別に対応する行動ログメッセージを生成し、投稿サーバ２に投稿する。
【００６２】
上述の説明によると、１０：００、１０：３０、１０：４５、１１：２５、１１：３０及び１２：００の行動ログは、行動ログメッセージ生成・投稿部１３が設定した変化検出条件に合致しない。そのため、これらの行動ログについて行動ログメッセージが生成されることはない。一方、１１：００、１１：０５、１１：１５及び１２：３０の行動ログは、行動ログメッセージ生成・投稿部１３が設定した変化検出条件に合致する。そのため、これらの行動ログについては、行動ログメッセージが生成される。
【００６３】
１１：００の行動ログは、行動種別「投稿装置の移動」によるものである。図４に示す行動ログメッセージデータベース２３によると、この行動種別に対応する行動ログメッセージは、「○○（場所）までやってきた、なう。」であり、図３に示す行動ログデータベース２２によると、１１：００に投稿装置１が位置する場所は新宿である。そこで、行動ログメッセージ生成・投稿部１３は、上記行動ログ及び上記行動種別に対応する行動ログメッセージとして「新宿までやってきた、なう。」を生成し、この行動ログメッセージを投稿サーバ２に投稿する。
【００６４】
同様に、１１：０５の行動ログは、行動種別「ユーザの購買行動」によるものである。図４に示す行動ログメッセージデータベース２３によると、この行動種別に対応する行動ログメッセージは、「○○（場所）の××（店舗名）で□□（商品、役務名）を買ったよ、なう。」であり、図３に示す行動ログデータベース２２によると、ユーザが１１：０５に購買行動を行った場所は新宿であり、その店舗は××デパートであり、購入した商品はセーターである。そこで、行動ログメッセージ生成・投稿部１３は、上記行動ログ及び上記行動種別に対応する行動ログメッセージとして「新宿の××デパートでセーターを買ったよ、なう。」を生成し、この行動ログメッセージを投稿サーバ２に投稿する。
【００６５】
同様に、１１：１５の行動ログは、行動種別「ユーザによるＷｅｂページの閲覧行動」によるものである。図４に示す行動ログメッセージデータベース２３によると、この行動種別に対応する行動ログメッセージは、「○○（Ｗｅｂページ名）を見たよ、なう。」であり、図３に示す行動ログデータベース２２によると、ユーザが１１：１５に閲覧したＷｅｂページは○○動画である。そこで、行動ログメッセージ生成・投稿部１３は、上記行動ログ及び上記行動種別に対応する行動ログメッセージとして「○○動画を見たよ、なう。」を生成し、この行動ログメッセージを投稿サーバ２に投稿する。
【００６６】
同様に、１２：３０の行動ログは、行動種別「投稿装置の移動」によるものである。図４に示す行動ログメッセージデータベース２３によると、この行動種別に対応する行動ログメッセージは、「○○（場所）までやってきた、なう。」であり、図３に示す行動ログデータベース２２によると、１２：３０に投稿装置１が位置する場所は横浜である。そこで、行動ログメッセージ生成・投稿部１３は、上記行動ログ及び上記行動種別に対応する行動ログメッセージとして「横浜までやってきた、なう。」を生成し、この行動ログメッセージを投稿サーバ２に投稿する。
【００６７】
図７は、行動ログメッセージ生成・投稿部１３が上記の行動ログメッセージを投稿サーバ２に送信した後に端末３から当該投稿サーバ２に接続したときの端末３での表示例を示す図である。端末３には、複数の行動ログメッセージが時系列で表示されており、古い順に「新宿までやってきた、なう。」、「新宿の××デパートでセーターを買ったよ、なう。」、「○○動画を見たよ、なう。」、「横浜までやってきた、なう。」と表示されている。
【００６８】
本実施形態に記載の発明によると、ユーザの行動が変化したタイミングに応じて、その変化に即した行動ログメッセージを、ユーザが行動ログメッセージを入力するというステップを踏むことなく投稿できるため、仕事中や移動中など、行動ログメッセージを入力する時間がない場合であっても、行動変化に即した記事を上記所定の投稿サーバに投稿できる。したがって、日常生活において、誰でも気軽に「いつでも」「どこでも」行動ログメッセージを投稿することの可能な投稿装置１を提供できる。
【００６９】
なお、本実施形態に記載された効果は、いずれも、本発明から生じる最も好適な効果を列挙したに過ぎず、本発明による効果は、本実施形態に記載されたものに限定されるものではない。
【符号の説明】
【００７０】
１  投稿装置
２  投稿サーバ
１０  制御部
１３  行動ログメッセージ生成・投稿部
２０  記憶部
２１  移動ログデータベース
２２  変化検出条件データベース
【図１】
0005421309.tif 000002
【図２】
0005421309.tif 000003
【図３】
0005421309.tif 000004
【図４】
0005421309.tif 000005
【図５】
0005421309.tif 000006
【図６】
0005421309.tif 000007
【図７】
0005421309.tif 000008